(57)【要約】【課題】衣類を吊るし或いは外すとき電波が発射されるハンガーを提供すること。【解決手段】衣類を吊すとき又はそこから衣類を取り外すとき衣類吊下げ部２を保持部１に対してスライドさせ、このスライド動作で発電機３が発電して無線送信機４に電力が供給され電波が発射されるようにする。【選択図】  図１
2004236781.tif 000002
【特許請求の範囲】
【請求項１】
フックを有する保持部と、該保持部に対して上下方向にスライド可能に設けられた衣類吊下げ部と、該衣類吊下げ部を前記保持部に対して引き付ける弾力を付与する弾性部材と、前記衣類吊下げ部の前記保持部に対するスライド動作に連動して発電する発電機と、該発電機の発電により電力を供給されて電波を発射する無線送信機とを具備することを特徴とする送信機付きハンガー。
【請求項２】
請求項１に記載の送信機付きハンガーにおいて、
前記発電機は前記スライド動作に連動して繰り出され又は巻き込まれるワイヤにより回転される回転子を有することを特徴とする送信機付きハンガー。
【請求項３】
請求項２に記載の送信機付きハンガーにおいて、
前記弾性部材は前記ワイヤに対して巻き込み力を付与することを特徴とする送信機付きハンガー。
【請求項４】
フックを有する保持部と、該保持部に対して上下方向にスライド可能に設けられた衣類吊下げ部と、該衣類吊下げ部を前記保持部に対して引き付ける弾力を付与する弾性部材と、電池と、前記衣類吊下げ部の前記保持部に対するスライド動作に連動してオンするスイッチと、該スイッチのオンにより前記電池から電力が供給されて電波を発射する無線送信機とを具備することを特徴とする送信機付きハンガー。
【発明の詳細な説明】
【０００１】
【発明の属する技術分野】
本発明は、無線送信機付のハンガーに関するものである。
【０００２】
【従来の技術】
従来のハンガーは弓形状の衣類吊下げ部のほぼ中央にフックが取り付けられた構成であり、それが日常衣類用の場合には、１日に１回は衣類の吊下げ、取り外しが行われる。
【０００３】
【発明が解決しようとする課題】
ところで、一人暮らしの老人などについて、その親近者やヘルパーなどが毎日訪問できればその健康状態を確認することができるが、数日に１回程度の訪問では安否について不安が残る場合がある。
【０００４】
そこで本発明の目的は、衣類を吊り下げる又は衣類を取り外すという操作によって無線電波が発射されるようにし、上記した問題解決の一助として使用できるようにしたハンガーを提供することである。
【０００５】
【課題を解決するための手段】
請求項１にかかる発明は、フックを有する保持部と、該保持部に対して上下方向にスライド可能に設けられた衣類吊下げ部と、該衣類吊下げ部を前記保持部に対して引き付ける弾力を付与する弾性部材と、前記衣類吊下げ部の前記保持部に対するスライド動作に連動して発電する発電機と、該発電機の発電により電力を供給されて電波を発射する無線送信機とを具備することを特徴とする送信機付きハンガーとした。
【０００６】
請求項２にかかる発明は、請求項１に記載の送信機付きハンガーにおいて、前記発電機は前記スライド動作に連動して繰り出され又は巻き込まれるワイヤにより回転される回転子を有することを特徴とする送信機付きハンガーとした。
【０００７】
請求項３にかかる発明は、請求項２に記載の送信機付きハンガーにおいて、前記弾性部材は前記ワイヤに対して巻き込み力を付与することを特徴とする送信機付きハンガーとした。
【０００８】
請求項４にかかる発明は、フックを有する保持部と、該保持部に対して上下方向にスライド可能に設けられた衣類吊下げ部と、該衣類吊下げ部を前記保持部に対して引き付ける弾力を付与する弾性部材と、電池と、前記衣類吊下げ部の前記保持部に対するスライド動作に連動してオンするスイッチと、該スイッチのオンにより前記電池から電力が供給されて電波を発射する無線送信機とを具備することを特徴とする送信機付きハンガーとした。
【０００９】
【発明の実施の形態】
図１は本発明の１つ実施形態の送信機付きハンガーの構成を示す説明図、図２はその回路図である。図１において、１は保持部、２は衣類吊下げ部、３は発電機、４は無線送信機である。
【００１０】
保持部１は上端にフック１１が取り付けられ、下部の内部にはガイド棒１２が縦方向設けられ、そのガイド棒１２の下端にはストッパ１３が設けられている。衣類吊下げ部２の上片２１のほぼ中央部分にはガイド孔２２が形成され、このガイド孔２２が保持部１のガイド棒１２に横方向回転不能にガイドされ、これにより衣類吊下げ部２は保持部１に対して上下方向の所定の距離をスライド可能となっている。
【００１１】
発電機３は保持部１の内部に取り付けられ、その発電機３の回転子を回転させるためのワイヤ３１の先端が衣類吊下げ部２の上片２１に止着されている。なお、このワイヤ３１は、発電機３の回転子の軸に取り付けたゼンマイ等の弾性部材の復元力による巻き取り力が常時付与されている。
【００１２】
無線送信機４はＳＯＩ構造のＬＳＩ等から構成され、極低電圧（１Ｖ程度）、低電力（１ｍＷ程度）で動作して所定周波数（例えば、３００ＧＨｚ帯或いはＢｌｕｅｔｏｏｔｈ近距離無線用周波数）の微弱電波を送信する送信機であり、その電源には発電機３で発生された電圧（１Ｖ，１ｍＷ程度）を使用している。
【００１３】
図２に示すように、発電機３は、ワイヤ３１の引き出し或いは巻き込みにより回転するマグネット回転子３２と、そのマグネット回転子３２の回転により磁束が変化することで電圧を発生する発電コイル３３と、その発電コイル３３に流れる電流を全波整流する整流回路３４と、その整流回路３４で整流された電圧を１Ｖ程度の直流電圧に平滑する平滑回路３５とを有する。なお、この発電機３は、マグネットが固定で発電コイルが回転する形式のものでもよい。
【００１４】
また、無線送信機４は、発電機３の出力直流電圧を電源として入力して動作し所定周波数の信号を発振する発振回路４１と、前記出力直流電圧を同様に電源として入力して動作し発振回路４１の発振周波数信号をそのまま送信し又は増幅して送信し又は所望の方式で変調して送信する送信回路４２と、電波放射用のアンテナ４３とを有する。
【００１５】
以上により、本実施の形態では、ハンガーに衣類を吊り下げると、その衣類の重みで衣類吊下げ部２が下方向にスライドしてワイヤ３１を引っ張るので、発電機３が回転して発電し直流電力を無線送信機４に供給するため、予め決められた周波数の微弱電波がその無線送信機４から発射される。また、ハンガーから衣類を取り外したときは、衣類吊下げ部２を上方向に引っ張るようにワイヤ３１が巻き戻されるので、同様に発電機３が発電を行い、上記電波が発射される。
【００１６】
このように、ハンガーに対して衣類を吊るし或いは外すという日常生活の自然の動作によって電波が発射されるので、この電波を受信検知する受信機を近くに設置しておくことにより、そこでの人の存在情報を採取することが可能となる。よって、受信機で得られた情報を電話システムその他のネットワークに接続しておけば、遠隔地からもその存在情報を採取でき、一人暮らしの老人などについて、安否確認ための１つの手段として有効となる。
【００１７】
なお、以上の実施形態では発電機３にワイヤ３１を巻き戻す弾性部材を設けたが、このような弾性部材を設けない場合は、保持部１に対して衣類吊下げ部２を常時上方向に引きつける引張スプリング５（図１参照）又は常時上方向に押し付ける圧縮スプリング（図示せず）等の弾性部材を新たに設ければよい。
【００１８】
また、以上の実施形態では発電機３と無線送信機４を保持部１の側に取り付けたが、衣類吊下げ部２の側に取り付けることもでき、さらに保持部１と衣類吊下げ部２の一方の側に発電機３を取り付け他方の側に無線送信機４を取り付けて、両者をフレキシブルな電源線で接続することもできる。衣類吊下げ部２の側に発電機３を取り付けた場合は、保持部１の側に滑車又は横軸を設けて、衣類吊下げ部２の側の発電機３のワイヤ３１をその滑車又は横軸に架け回してから先端を衣類吊下げ部２に止着すれば、衣類吊下げ部２のスライドにより発電機３が回転して発電する。
【００１９】
また、以上の実施形態では電源として発電機３を使用したが、図３に示すように、乾電池やボタン電池等の電池６を使用することもできる。この場合は、衣類吊下げ部２を保持部１に対して常時引きつける引張スプリング５（図１参照）又は常時押し付ける圧縮スプリング等の弾性部材を設ける。そして、衣類吊下げ部２が保持部１に対して下方向又は上方向へスライドするときに接点がオンし、衣類吊下げ部２が上端又は下端に位置するときは接点がオフするスイッチ７を図３の（ａ）に示すように、電池６と無線送信機４との間に接続すればよい。
【００２０】
或いは、衣類吊下げ部２が上端に位置すると接点がオフするスイッチ８と下端に位置すると設定がオフするスイッチ９を、図３の（ｂ）に示すように、電池６と無線送信機４の間に直列接続すればよい。この場合は、衣類吊下げ部２が上方向又は下方向にスライドする途中でスイッチ８，９がいずれもオンとなり、電源が供給される。
【００２１】
また、以上では発電機３の蓄電機能については言及しなかったが、平滑回路３５の出力側に蓄電用キャパシタ等を接続して蓄電機能を具備させてもよい。
【００２２】
【発明の効果】
以上から本発明によれば、ハンガーに対して衣類を吊るし或いは外すという日常生活の自然の動作によって電波が発射されるので、この電波を受信検知する受信機を近くに設置しておくことにより、そこでの人の存在情報を採取することが可能となる。このとき衣類を吊るし或いは外す人は送信機へのインターフェイスを意識する必要はない。よって、受信機で得られた情報を電話システムその他のネットワークに接続しておけば、遠隔地からも人の存在情報を採取でき、一人暮らしの老人などの安否確認ための１つの手段として有効となる。
【図面の簡単な説明】
【図１】本発明の実施形態のハンガーの構成を示す説明図である。
【図２】図１のハンガーに設けられる発電機と無線送信機の構成を示すブロック図である。
【図３】発電機に代えて電池を使用する場合の電池と無線送信機を接続する構成のブロック図である。
【符号の説明】
１：保持部
１１：フック、１２：ガイド棒、１３：ストッパ
２：衣類吊下げ部
２１：上片、２２：ガイド孔
３：発電機
３１：ワイヤ、３２：マグネット回転子、３３：発電コイル、３４：全波整流回路、３５：平滑回路
４：無線送信機
４１：発振回路、４２：送信回路、４３：アンテナ
５：スプリング
６：電池
７、８，９：スイッチ
【図１】
2004236781.tif 000003
【図２】
2004236781.tif 000004
【図３】
2004236781.tif 000005